(57)【要約】【課題】競技時に要求される競技者の動きに応じてグリップ力を確実に接地面に伝達できるようにする。【解決手段】アウトソール１の底面１ａにおいて、着用者の足指の第２趾中足趾節関節ＭＪ２  および第３趾中足趾節関節ＭＪ３  の中間位置付近に対応する位置に第１のスタッド１１を配置し、第１趾末節骨ＤＰ１  に対応する位置に第２のスタッド１２を配置し、第１趾中足骨ＭＢ１  の骨頭付近に対応する位置に第３のスタッド１３を配置し、第３趾末節骨ＤＰ３  に対応する位置に第４のスタッド１４を配置し、第４趾中足趾節関節ＭＪ４  および第５趾中足趾節関節ＭＪ５  の中間位置付近に対応する位置に第５のスタッド１５を配置した。【選択図】    図１
2004167069.tif 000002
【特許請求の範囲】
【請求項１】
フットボールシューズのアウトソール構造において、
アウトソールの底面において、着用者の足指の第２趾中足趾節関節および第３趾中足趾節関節の中間位置付近に対応する位置に第１のスタッドを配置した、
ことを特徴とするフットボールシューズのアウトソール構造。
【請求項２】
請求項１において、
足指の第１趾末節骨に対応する位置に第２のスタッドを配置し、第１趾中足骨の骨頭付近に対応する位置に第３のスタッドを配置した、
ことを特徴とするフットボールシューズのアウトソール構造。
【請求項３】
請求項２において、
足指の第３趾末節骨に対応する位置に第４のスタッドを配置し、第４趾中足趾節関節および第５趾中足趾節関節の中間位置付近に対応する位置に第５のスタッドを配置した、
ことを特徴とするフットボールシューズのアウトソール構造。
【請求項４】
請求項３において、
前記第１のスタッドの長さを前記第３および第５のスタッドの長さよりも短くすることにより、前記第１のスタッドの最突出端の位置が前記第３および第５のスタッドの最突出端の位置に対して、略同一の平面上に配置されており、または若干上方の位置に配置されている、
ことを特徴とするフットボールシューズのアウトソール構造。
【請求項５】
請求項１ないし３のいずれかにおいて、
各足指の中足趾節関節付近の位置から基節骨骨頭付近の位置にかけてのアウトソール領域を他のアウトソール領域よりも高剛性にした、
ことを特徴とするフットボールシューズのアウトソール構造。
【請求項６】
請求項１ないし３のいずれかにおいて、
足指の第１趾中足趾節関節および第２趾中足趾節関節付近の位置から第１趾基節骨および第２趾基節骨の各骨頭付近の位置にかけてのアウトソール領域を他のアウトソール領域よりも高剛性にした、
ことを特徴とするフットボールシューズのアウトソール構造。
【請求項７】
請求項５または６において、
前記高剛性の領域の少なくとも一部が、他の領域よりも厚肉に形成されている、
ことを特徴とするフットボールシューズのアウトソール構造。
【請求項８】
請求項７において、
前記高剛性の領域が、前記第１ないし第３の各スタッドの配設位置を含んでいる、
ことを特徴とするフットボールシューズのアウトソール構造。
【請求項９】
請求項５または６において、
前記高剛性の領域の硬度が、他の領域の硬度よりも高くなっている、
ことを特徴とするフットボールシューズのアウトソール構造。
【請求項１０】
請求項５または６において、
前記高剛性の領域が補強部材を有している、
ことを特徴とするフットボールシューズのアウトソール構造。
【請求項１１】
フットボールシューズのアウトソール構造において、
アウトソールの底面において、着用者の第１趾ないし第５趾の少なくとも一つに対応して前後方向に延びるリブが配設されている、
ことを特徴とするフットボールシューズのアウトソール構造。
【請求項１２】
フットボールシューズのアウトソール構造において、
アウトソールの底面において、着用者の第１趾ないし第４趾にそれぞれ対応して前後方向に延びる４本のリブが配設されている、
ことを特徴とするフットボールシューズのアウトソール構造。
【請求項１３】
請求項１ないし１０のいずれかにおいて、
アウトソールの底面において、着用者の第１趾ないし第５趾の少なくとも一つに対応して前後方向に延びるリブが配設されている、
ことを特徴とするフットボールシューズのアウトソール構造。
【請求項１４】
請求項１ないし１０のいずれかにおいて、
アウトソールの底面において、着用者の第１趾ないし第４趾にそれぞれ対応して前後方向に延びる４本のリブが配設されている、
ことを特徴とするフットボールシューズのアウトソール構造。
【請求項１５】
フットボールシューズのアウトソール構造において、
アウトソールの底面において、前後方向に延びるリブがアウトソールの土踏まず部に配設されている、
ことを特徴とするフットボールシューズのアウトソール構造。
【請求項１６】
請求項１ないし１４のいずれかにおいて、
アウトソールの底面において、前後方向に延びるリブがアウトソールの土踏まず部に配設されている、
ことを特徴とするフットボールシューズのアウトソール構造。
【請求項１７】
フットボールシューズのアウトソール構造において、
アウトソールの土踏まず部のリブには、幅方向の溝が形成されている、
ことを特徴とするフットボールシューズのアウトソール構造。
【請求項１８】
請求項１１ないし１６のいずれかにおいて、
アウトソールの土踏まず部のリブには、幅方向の溝が形成されている、
ことを特徴とするフットボールシューズのアウトソール構造。
【請求項１９】
請求項１ないし１８のいずれかにおいて、
アウトソールの踵部、中足部または前足部には、緩衝構造体が設けられている、
ことを特徴とするフットボールシューズのアウトソール構造。
【請求項２０】
請求項１９において、
前記緩衝構造体は、それぞれシューズ前後方向に帯状に延びかつそれぞれ波板状に形成された複数の波形プレートを互いに並設して連結することにより構成されている、
ことを特徴とするフットボールシューズのアウトソール構造。
【請求項２１】
請求項２０において、
前記各波形プレートの波形状の位相が、隣り合う波形プレートの波形状の位相に対して１／２波長だけずれている、
ことを特徴とするフットボールシューズのアウトソール構造。
【請求項２２】
請求項１ないし２１のいずれかにおいて、
前記フットボールシューズがラグビーシューズである、
ことを特徴とするフットボールシューズのアウトソール構造。
【請求項２３】
請求項１ないし２２のいずれかにおいて、
少なくとも前記第１のスタッドが着脱式のスタッドである、
ことを特徴とするフットボールシューズのアウトソール構造。
【発明の詳細な説明】
【０００１】
【発明の属する技術分野】
本発明は、フットボールシューズのアウトソール構造に関し、とくに、ラグビーシューズやサッカーシューズに好適のアウトソール構造の改良に関する。
【０００２】
【従来の技術およびその課題】
従来のスタッド着脱式のラグビーシューズとしては、図１１（ａ）に示すように、前足部に４本のスタッド１００が配置され、踵部に２本のスタッド１０１が配置された６本構造のもの（特開平７−３１３２０２号公報参照）や、同図（ｂ）に示すように、前足部に６本のスタッド１００が配置され、踵部に２本のスタッド１０１が配置された８本構造のものが主流であった。なお、同図中の一点鎖線は、着用者の足の骨格構造を示している。
【０００３】
【特許文献１】
特開平７−３１３２０２号公報（図２）
【０００４】
本願発明に係る発明者は、とくにラグビーシューズのアウトソール構造、その中でもスタッド配置やソール剛性について見直しを図るべく、実際の競技中においてステップ時やスクラムを組んだ際にプレーヤーの足裏に作用する力についてバイオメカニクスの観点から分析を行った。
【０００５】
その結果、これまで慣用的に行われてきたスタッド配置をさらに改良する余地のあることが判明した。さらに、このようなスタッド配置に加え、スクラム時やステップ時のグリップ力をさらに向上させ、出足の一歩をさらにリードできるようにしたいとする要請もあった。
【０００６】
本発明は、このような従来の実情に鑑みてなされたもので、競技時に要求される競技者の動きに応じてグリップ力を確実に接地面に伝達できるアウトソール構造を提供することを目的とする。
【０００７】
【課題を解決するための手段】
そこで、本願発明に係る発明者は、競技中にラグビープレーヤーの足に実際に作用する足圧の分布状態を測定した。この測定結果を図２および図３に示す。図２はスクラム時の足圧分布図であり、図３はステップ時の足圧分布図である。各図とも左足の足裏側から見た足圧分布を示しており、図中、Ｍは内甲側を、Ｌは外甲側をそれぞれ示しており、また、内側の等圧線ほど圧力が高いことを示している。
【０００８】
これらの図から、スクラム時には、第１足指の末節骨から中足骨骨頭にかけての領域、ならびに第２足指の中足趾節関節およびその周囲を含む領域において、足圧が相対的に高くなっている。また、ステップ時には、第１足指の末節骨から基節骨骨頭にかけての領域、第１足指から第３足指の各中足趾節関節およびその周囲を含む領域、ならびに踵部の領域において、足圧が相対的に高くなっている。
【０００９】
本発明は、このように、実際の足圧分布の測定結果を考察することによりなされたものであって、請求項１の発明に係るフットボールシューズのアウトソール構造は、アウトソールの底面において、着用者の足指の第２趾中足趾節関節および第３趾中足趾節関節の中間位置付近に対応する位置に第１のスタッドを配置したことを特徴としている。
【００１０】
図２および図３の足圧分布図から、スクラム時およびステップ時のいずれの場合においても、足裏の踏付部の略中央部分の足圧が高くなっていることが分かる。第１のスタッドは、この踏付部の略中央部分の足圧が高い位置に対応して配置されている。すなわち、図４および図５のアウトソール底面図に示すように、第１のスタッド１１は、足指の第２趾中足趾節関節ＭＪ２  および第３趾中足趾節関節ＭＪ３  の中間位置付近（つまり中間位置およびその近傍を含む領域）に対応する位置に配置されている。
【００１１】
この場合には、スクラム時およびステップ時に最も大きな力が作用する部位にスタッドが配置されるので、足裏からの力をロスなく接地面に伝えることができ、競技時に要求される競技者の動きに応じてグリップ力を確実に接地面に伝達できるようになり、これにより、出足の一歩をリードできるようになる。
【００１２】
また、最も大きな足圧が作用するアウトソール部位が第１のスタッドにより下方から支持されるので、足の踏付部の下方への落ち込みを防止できる。このような横アーチの落ち込み等の防止によって足の障害を防止できるとともに、アウトソールひいてはシューズの変形を防止して耐久性を向上できる。
【００１３】
なお、第１のスタッドの位置について、第２趾中足趾節関節ＭＪ２  および第３趾中足趾節関節ＭＪ３  の中間位置の近傍まで含めたのは、着用者の足には、足指の長短などの個体差があることを考慮したためである。
【００１４】
請求項２の発明においては、第１のスタッドに加えて、足指の第１趾末節骨に相当する位置に第２のスタッドが、第１趾中足骨の骨頭付近に対応する位置に第３のスタッドがそれぞれ配置されている。
【００１５】
図４および図５に示すように、第２のスタッド１２および第３のスタッド１３は、スクラム時およびステップ時に足圧が上昇する部位に対応して配置されている。これにより、競技者の動きに応じてグリップ力をより確実に接地面に伝達できるようになる。
【００１６】
請求項３の発明においては、第１ないし第３のスタッドに加えて、足指の第３趾末節骨に対応する位置に第４のスタッドが、第４趾中足趾節関節および第５趾中足趾節関節の中間位置付近に対応する位置に第５のスタッドがそれぞれ配置されている。
【００１７】
この場合には、アウトソールの前足部のスタッドが、それぞれ最適位置に配置された最少本数の５本のスタッドから構成されるので、足の外側への倒れ込みを防止しつつ、シューズのフラットな接地を実現できる。
【００１８】
請求項４の発明においては、第１のスタッドの長さを第３および第５のスタッドの長さよりも短くすることにより、第１のスタッドの最突出端の位置が第３および第５のスタッドの最突出端の位置に対して、略同一の平面上に配置されており、または若干上方の位置に配置されている。
【００１９】
アウトソールの底面が下方に突出する緩やかな湾曲形状を有している場合、第１のスタッドの長さを第３および第５のスタッドの長さと同じにすると、中央側の第１のスタッドの方が側縁部側の第３および第５のスタッドよりも下方に突出することになって、接地時の局部的な突き上げ感が増加し、足の障害が発生するおそれがある。
【００２０】
しかしながら、請求項４の発明では、第１のスタッドの長さを第３および第５のスタッドの長さよりも短くして、第１のスタッドの最突出端の位置を第３および第５のスタッドの最突出端の位置に対して、略面一の位置または若干上方の位置に配置したので、シューズのフラット設置が可能になるとともに、接地時の局部的な突き上げ感を緩和でき、足の障害を防止できる。
【００２１】
請求項５の発明においては、各足指の中足趾節関節付近の位置から基節骨骨頭付近の位置にかけてのアウトソール領域が他のアウトソール領域よりも高剛性にされている。
【００２２】
この場合には、スクラム時やステップ時において足圧が高くなるスタッド間のアウトソール領域の落ち込みが防止されると同時に、当該アウトソール領域の反発性を向上でき、これにより、出足の一歩をリードできるようになり、次の動作にスムーズに移行できるようになる。
【００２３】
また、一部のアウトソール領域を高剛性にすることで、他の大部分のアウトソール領域を薄肉にして低剛性にすることができ、これにより、アウトソール全体を軽量化できる。
【００２４】
請求項６の発明においては、足指の第１趾中足趾節関節および第２趾中足趾節関節付近の位置から第１趾基節骨および第２趾基節骨の各骨頭付近の位置にかけてのアウトソール領域が他のアウトソール領域よりも高剛性にされている。また、請求項８の発明では、高剛性の領域が第１ないし第３の各スタッドの配設位置を含んでいる。
【００２５】
これらの場合には、スクラム時やステップ時において足圧が最も高くなる第１ないし第３のスタッドに囲まれたアウトソール領域の剛性が高く設定されることになるので、当該アウトソール領域のたわみや落ち込みを防止して反発性を向上でき、これにより、スクラム時に力強いスクラムを組めるようになるとともに、ステップ時に足を踏み込んだ際に次の動作によりスムーズに移行できるようになって鋭いステップを踏めるようになる。
【００２６】
請求項７の発明では、高剛性の領域の少なくとも一部が他の領域よりも厚肉に形成されている。
【００２７】
請求項９の発明では、高剛性の領域の硬度が他の領域の硬度よりも高くなっている。また、請求項１０の発明では、高剛性の領域が、たとえばカーボンファイバー等の補強部材を有している。これらの場合には、高剛性の領域の重量を増加させることなく、剛性のアップが可能であり、これにより、他のアウトソール領域の軽量化と相俟って、アウトソール全体をさらに軽量化できる。
【００２８】
請求項１１または１３の発明においては、アウトソールの底面において、着用者の第１趾ないし第５趾の少なくとも一つに対応して前後方向に延びるリブが配設されている。また、請求項１２または１４の発明においては、アウトソールの底面において、着用者の第１趾ないし第４趾にそれぞれ対応して前後方向に延びる４本のリブが配設されている。
【００２９】
これらの場合には、各リブ間のアウトソール部分の左右への屈曲性が向上し、これにより、ステップ時のグリップ力を向上できるとともに、ステップ時にスムーズな体重移動が可能になる。また、一部の足指を含む前後方向部分をリブによって補強することにより、他の部分を薄肉にすることができ、これにより、アウトソール全体の軽量化が可能である。
【００３０】
請求項１５または１６の発明のおいては、アウトソールの底面において、前後方向に延びるリブがアウトソールの土踏まず部に配設されている。この場合には、土踏まず部つまりアーチ部の剛性を向上させることにより、縦アーチの落ち込みを防止でき、これにより、グリップ力が要求されるアウトソール領域のみによる接地状態を維持してグリップ力を確実に接地面に伝達できるとともに、プロネーション（回内）を防止して足の障害を回避できる。また、土踏まず部にリブを設けることで他の部分を薄肉にして低剛性にすることができ、これにより、アウトソール全体の軽量化に寄与できる。
【００３１】
請求項１７または１８の発明においては、アウトソールの土踏まず部のリブには、幅方向の溝が形成されている。
【００３２】
請求項１９の発明においては、アウトソールの踵部、中足部または前足部に緩衝構造体が設けられているので、アウトソールの踵部、中足部または前足部の安定性を損なわずにクッション性を向上でき、着用者の足の踵部、中足部または前足部に障害が発生するのを防止できる。
【００３３】
請求項２０の発明においては、緩衝構造体が、それぞれシューズ前後方向に帯状に延びかつそれぞれ波板状に形成された複数の波形プレートを互いに並設して連結することにより構成されている。
【００３４】
この場合には、競技時において着地の際にシューズの踵部または前足部に衝撃荷重が作用したとき、各波形プレートの波形状の山の部分が下方に沈み込むように変形するとともに、波形状の谷の部分が上方に持ち上がるように変形することにより、衝撃荷重を吸収できる。また、この場合には、隣り合う各波形プレートの連結部分が各波形状部分の変形を抑制するので、各波形状部分の変形と相俟って衝撃荷重をより効果的に吸収できる。
【００３５】
請求項２１の発明においては、各波形プレートの波形状の位相が、隣り合う波形プレートの波形状の位相に対して１／２波長だけずれている。
【００３６】
請求項２２の発明では、フットボールシューズがラグビーシューズである。
【００３７】
請求項２３の発明では、少なくとも第１のスタッドが着脱式のスタッドである。
【００３８】
【発明の実施の形態】
以下、本発明の実施態様を添付図面に基づいて説明する。
図１ないし図１０は、本発明の一実施態様によるラグビーシューズのアウトソール構造を説明するための図であって、図１は本発明によるスタッド配列を有するアウトソールの底面図を足の骨格構造とともに示す図、図２はラグビー競技においてスクラムの際に足裏に実際に作用する足圧の分布図、図３はラグビー競技においてステップ時に足裏に実際に作用する足圧の分布図、図４はアウトソール（図１）を足圧部分図（図２）とともに示す図、図５はアウトソール（図１）を足圧部分図（図３）とともに示す図、図６は図１のＶＩ−ＶＩ  線断面図、図７は本発明の好ましい実施態様によるアウトソールの底面図を足の骨格構造とともに示す図、図８は図７のＶＩＩＩ−ＶＩＩＩ  線断面図、図９は図７のＩＸ矢視図、図１０は図７のアウトソールの踵部に設けられる緩衝構造体の斜視部分図である。なお、ここでは、左足用のアウトソールを例にとっている。また、各図中、足の骨格構造が一点鎖線で示されており、各図中、ＤＰ，ＭＰ，ＰＰ，ＭＢ，ＭＪはそれぞれ足の末節骨、中節骨、基節骨、中足骨、中足趾節関節を示しており、添字の１〜５はそれぞれ足の第１趾ないし第５趾を表している。
【００３９】
図１に示すように、アウトソール１の底面１ａには、第１ないし第５のスタッド１１〜１５が設けられている。第１のスタッド１１は、着用者の足指の第２趾中足趾節関節ＭＪ２  および第３趾中足趾節関節ＭＪ３  の中間位置付近（つまり中間位置およびその近傍を含む領域（以下同様））に対応する位置に配置されている。
【００４０】
第２のスタッド１２は、足指の第１趾末節骨ＤＰ１  に対応する位置に配置されており、第３のスタッド１３は、第１趾中足骨ＭＢ１  の骨頭付近に対応する位置に配置されている。第４のスタッド１４は、足指の第３趾末節骨ＤＰ３  に対応する位置に配置されており、第５のスタッド１５は、第４趾中足趾節関節ＭＪ４  および第５趾中足趾節関節ＭＪ５  の中間位置付近に対応する位置に配置されている。さらに、踵部には、スタッド１８，１９が設けられている。
【００４１】
次に、競技中にラグビープレーヤーの足に実際に作用する足圧の分布状態を測定した測定結果を図２および図３に示す。図２はスクラム時の足圧分布図であり、図３はステップ時の足圧分布図である。各図とも左足の足裏側から見た足圧分布を示しており、図中、Ｍは内甲側を、Ｌは外甲側をそれぞれ示している。また、内側の等圧線ほど圧力が高いことを示している。
【００４２】
これらの図から、スクラム時には、第１足指の末節骨ＤＰ１  から中足骨ＭＢ１  骨頭付近にかけての領域、ならびに第２足指の中足趾節関節ＭＪ２  およびその周囲を含む領域において、足圧が相対的に高くなっていることが分かる。また、ステップ時には、第１足指の末節骨ＤＰ１  から基節骨ＰＰ１  骨頭付近にかけての領域、第１足指から第３足指の各中足趾節関節ＭＪ１  ，ＭＪ２  ，ＭＪ３  およびその周囲を含む領域、ならびに踵部の領域において、足圧が相対的に高くなっていることが分かる。
【００４３】
次に、図２および図３の足圧分布図を図１のアウトソールに重ね合わせたものをそれぞれ図４および図５に示す。これらの図から明らかなように、第１ないし第３のスタッド１１〜１３は、図２および図３の足圧分布に非常によく一致した位置に配置されていることが分かる。
【００４４】
第１ないし第３のスタッド１１〜１３のうち、第１のスタッド１１が、本実施態様によるアウトソール構造においてとくに重要なものであって、図２および図３の足圧分布図から分かるように、スクラム時およびステップ時のいずれの場合においても、足裏の踏付部の略中央部分の足圧が高くなっている。第１のスタッド１１は、この踏付部の略中央部分の足圧が高い位置に対応して配置されている。同様に、第２および第３のスタッド１２，１３についても、図２および図３の足圧分布図において足圧が高い位置に対応して配置されている。
【００４５】
この場合には、スクラム時およびステップ時に最も大きな力が作用する部位に第１ないし第３のスタッド１１〜１３が配置されるので、足裏からの力をロスなく接地面に伝えることができ、競技時に要求される競技者の動きに応じてグリップ力を確実に接地面に伝達できるようになり、これにより、出足の一歩をリードできるようになる。
【００４６】
また、最も大きな足圧が作用するアウトソール部位が第１のスタッド１１により下方から支持されるので、足の踏付部の下方への落ち込みを防止できる。このような横アーチの落ち込み等の防止によって足の障害を防止できるとともに、アウトソールひいてはシューズの変形を防止して耐久性を向上できる。
【００４７】
アウトソール１の底面１ａには、第１ないし第３のスタッド１１〜１３に加えて、足指の第３趾末節骨ＤＰ３  に対応する位置に第４のスタッド１４が、第４趾中足趾節関節ＭＪ４  および第５趾中足趾節関節ＭＪ５  の中間位置付近に対応する位置に第５のスタッド１５がそれぞれ配置されている。
【００４８】
この場合には、アウトソールの前足部のスタッドが、それぞれ最適位置に配置された最少本数の５本のスタッド１１〜１５から構成されるので、アウトソール全体の重量の増加を抑制しつつ、足の外側への倒れ込みを防止でき、シューズのフラットな接地を実現できる。なお、各スタッド１１〜１５は、固定式または着脱式（取替式）のいずれであってもよい。とくに第１のスタッド１１は、接地頻度が高く比較的摩耗も速いため、取替式の方が好ましい。
【００４９】
図６に示すように、第１のスタッド１１の長さは、第３および第５のスタッド１３，１５の長さよりも短くなっており、同図中の一点鎖線Ｈに示すように、第１のスタッド１１の最突出端の位置は、第３および第５のスタッド１３，１５の最突出端の位置と略同一の平面Ｈ上に配置されている。あるいは、第１のスタッド１１の最突出端の位置は、第３および第５のスタッド１３，１５の最突出端の位置よりも若干上方に配置されていてもよい。これらの場合には、シューズのフラット設置が可能になるとともに、接地時の局部的な突き上げ感を緩和でき、その結果、足の障害を防止できる。
【００５０】
なお、アウトソール１の底面１ａは、下方に突出する緩やかな湾曲形状を有しているため（図６参照）、仮に第１、第３および第５のスタッド１１，１３，１５の長さを同じにすると、中央側の第１のスタッド１１の方が側縁部側の第３および第５のスタッド１３，１５よりも下方に突出することになって、接地時の局部的な突き上げ感が増加することになるが、本実施態様によるアウトソールでは、このような不具合の発生を防止できる。
【００５１】
次に、図７に示す本発明の好ましい実施態様においては、第１ないし第３の各スタッド１１〜１３を連結する略三角形状の領域に厚肉部２０が形成されている。すなわち、厚肉部２０は、第１趾中足趾節関節ＭＪ１  および第２趾中足趾節関節ＭＪ２  付近の位置から第１趾末節骨ＤＰ１  付近の位置にかけてのアウトソール領域を覆っている。
【００５２】
この場合には、スクラム時やステップ時において足圧が最も高くなるアウトソール領域の剛性が高く設定されることになるので、スクラム時やステップ時に当該アウトソール領域の落ち込みが防止されると同時に、当該アウトソール領域の反発性を向上でき、これにより、スクラム時に力強いスクラムを組めるようになるとともに、ステップ時に足を踏み込んだ際に次の動作によりスムーズに移行できるようになって鋭いステップを踏めるようになる。また、このように一部のアウトソール領域を高剛性にすることで、他の大部分のアウトソール領域を薄肉にして低剛性にすることができ、これにより、アウトソール全体を軽量化できる。
【００５３】
なお、高剛性のアウトソール領域として、厚肉部２０を形成するかわりに、当該アウトソール領域を他のアウトソール領域よりも高硬度の素材から形成するようにしてもよく、あるいは、当該アウトソール領域にたとえばカーボンファイバー等の補強部材を設けるようにしてもよい。これらの場合には、高剛性の領域の重量を増加させることなく、剛性のアップが可能であり、これにより、他のアウトソール領域の軽量化と相俟って、アウトソール全体をさらに軽量化できる。
【００５４】
また、高剛性にするアウトソール領域としては、各足指の中足趾節関節ＭＪ付近の位置から基節骨ＰＰ骨頭付近の位置にかけての踏付部全体に配置するようにしてもよい。
【００５５】
図７に示すように、アウトソール１の底面１ａにおいて、着用者の第１趾ないし第４趾に対応して前後方向に延びる４本のリブ２１〜２４が配設されており、各リブ２１〜２４はつま先部から中足部にかけて配設されている。リブ２１，２２は中足部のリブ２５に連結されており、リブ２３，２４は同様に中足部のリブ２６に連結されている。また、各リブ２１〜２６は、図８に示すように、底面１ａから突出する山形形状を有している。
【００５６】
この場合には、各足指を含む前後方向部分がリブによって補強されることにより、他のアウトソール領域を薄肉にすることができる。これにより、アウトソール全体の軽量化が可能である。また、この場合には、各リブ間のアウトソール部分の左右への屈曲性が向上し、これにより、ステップ時に各リブ間のアウトソール部分の屈曲変形が容易になって、グリップ力を向上できるとともに、ステップ時にスムーズな体重移動が可能になる。
【００５７】
なお、図７では、第１趾ないし第４趾のすべての足指に対応して４本のリブ２１〜２４を設けた例を示したが、これらの４本のうちの少なくとも１本のリブ、たとえば第１趾および第２趾に対応した２本のリブ２１，２２を設けるようにしてもよい。また、第５趾に対応した前後方向のリブをさらに設けるようにしてもよい。
【００５８】
アウトソール１の底面１ａにおいて、土踏まず部（中足部）に前後方向のリブ２５，２６が配設されていることにより、土踏まず部つまりアーチ部の剛性を向上させることができ、これにより、縦アーチの落ち込みを防止できる。その結果、グリップ力が要求されるアウトソール領域のみによる接地状態を維持してグリップ力を確実に接地面に伝達できるとともに、プロネーション（回内）を防止して足の障害を回避できる。また、土踏まず部にリブを設けることで他の部分を薄肉にして低剛性にすることができ、これにより、アウトソール全体の軽量化に寄与できる。
【００５９】
また、リブ２５，２６には、図９に示すように、幅方向に延びる複数の溝２７が形成されている。この場合には、これらの溝２７にシューズの靴紐を通して緊締することにより、より強固な緊締が可能になってフィット性を向上でき、接地面に対してロスなく確実にグリップ力を伝達できるようになる。
【００６０】
さらに、アウトソール１の踵部には、緩衝構造体５０が設けられている。緩衝構造体５０は、斜視部分図である図１０に示すように、それぞれシューズ前後方向に帯状に延びかつそれぞれ波板状に形成された複数の波形プレート５１，５２を互いに並設することにより構成されており、各波形プレート５１，５２の波形状の位相は、隣り合う波形プレート５２，５１の波形状の位相に対して１／２波長だけずれている。また、各波形プレート５１，５２は、連結部５３により互いに連結されている。
【００６１】
この場合には、競技時において着地の際にシューズの踵部に衝撃荷重が作用したとき、各波形プレート５１，５２の波形状の山の部分が下方に沈み込むように変形するとともに、波形状の谷の部分が上方に持ち上がるように変形することによって、踵部に作用する衝撃荷重を吸収できる。また、隣り合う各波形プレート５１，５２の連結部分５３が各波形状部分の変形を抑制することにより、各波形状部分の変形と相俟って衝撃荷重をより効果的に吸収できる。これにより、踵部のクッション性を向上でき、着用者の足の踵部に障害が発生するのを防止できる。なお、緩衝構造体５０は、アウトソール１の中足部または前足部に設けるようにしてもよい。
【００６２】
〔他の適用例〕
前記実施態様および各変形例では、ラグビーシューズを例にとって説明してきたが、本発明は、ラグビーシューズ以外のサッカー、アメリカンフットボールなどの他のフットボール用シューズにも適用可能である。
【００６３】
【発明の効果】
以上のように、本発明によれば、競技時に要求される競技者の動きに応じてグリップ力を確実に接地面に伝達できる効果がある。
【図面の簡単な説明】
【図１】本発明の一実施態様によるスタッド配列を有するアウトソールの底面図を足の骨格構造とともに示す図である。
【図２】ラグビー競技においてスクラムの際に足裏に実際に作用する足圧の分布図である。
【図３】ラグビー競技においてステップ時に足裏に実際に作用する足圧の分布図である。
【図４】図１のアウトソールを図２の足圧部分図とともに示す図である。
【図５】図１のアウトソールを図３の足圧部分図とともに示す図である。
【図６】図１のＶＩ−ＶＩ  線断面図である。
【図７】本発明の好ましい実施態様によるアウトソールの底面図を足の骨格構造とともに示す図である。
【図８】図７のＶＩＩＩ−ＶＩＩＩ  線断面図である。
【図９】図７のＩＸ矢視図である。
【図１０】図７のアウトソールの踵部に設けられる緩衝構造体の斜視部分図である。
【図１１】従来のスタッド着脱式（取替式）のラグビーシューズの底面図であって、（ａ）はスタッドが６本配列のものを、（ｂ）はスタッドが８本配列のものをそれぞれ示している。
【符号の説明】
１：  アウトソール
１ａ：  底面
１１：  第１のスタッド
１２：  第２のスタッド
１３：  第３のスタッド
１４：  第４のスタッド
１５：  第５のスタッド
ＤＰ：  末節骨
ＭＰ：  中節骨
ＰＰ：  基節骨
ＭＢ：  中足骨
ＭＪ：  中足趾節関節
【図１】
2004167069.tif 000003
【図２】
2004167069.tif 000004
【図３】
2004167069.tif 000005
【図４】
2004167069.tif 000006
【図５】
2004167069.tif 000007
【図６】
2004167069.tif 000008
【図７】
2004167069.tif 000009
【図８】
2004167069.tif 000010
【図９】
2004167069.tif 000011
【図１０】
2004167069.tif 000012
【図１１】
2004167069.tif 000013